(57)【特許請求の範囲】
【請求項１】
再使用可能なプローブ(30)を備え、該プローブは、検査される対象物の空洞に適合するように形成された閉じた遠方端(62)と、開いた接近端(64)とを含む中空外部カバー(60)と；この外部カバー(60)の遠方端(62)内に配置された内部スリーブ(70)の周りに堅牢に形成された能動的なＲＦコイル素子(72)と；この能動的なＲＦコイル素子(72)の接近端側で上記外部カバー(60)内に配置された同調及び整合回路であって、プリント回路板(74)上に配置されて能動的なＲＦコイル素子(72)に取り付けられる同調及び整合回路と；上記外部カバー(60)の接近端(64)に接続された蓋(90)であって、上記外部カバー(60)の接近端(64)を閉じた状態にシールするように構成された蓋(90)とを備え、
上記プローブ(30)の外部カバー(60)を殺菌するための汚染除去容器(140)を更に備え、この汚染除去容器(140)は、上部リップ(142)と、汚染除去流体を規定レベルに保持する貯溜器とを有し、上記リップは、規定の高さにおいて蓋(90)をのせるように構成されて、上記外部カバー(60)が汚染除去流体に完全に沈み且つ上記蓋(90)が汚染除去流体に接触しないようにすることを特徴とするＭＲＩ装置のための空洞内ＲＦコイル組立体。
【請求項２】
上記同調及び整合回路に接続されて、上記外部カバー(60)の開いた接近端(64)から上記蓋(90)を通してＭＲＩ装置の前置増幅器へと延びる非磁気ＲＦケーブル(80)を更に備え、このＲＦケーブル(80)は、外部ケーブル絶縁材と、この外部ケーブル絶縁材上にモールドされたＭＲ適合及び生体適合の外部ジャケットとを有する請求項１に記載の空洞内ＲＦコイル組立体。
【請求項３】
上記接近端(64)において上記外部カバー(60)の外面に切られた複数のグルーブ(66)を更に備え、これらグルーブ(66)は、外部カバー(60)を完全に取り巻くように配置され、上記蓋(90)の一部分がそこに埋め込まれて、蓋(90)と外部カバー(60)との間の接続部をシールする請求項１又は２に記載の空洞内ＲＦコイル組立体。
【請求項４】
上記汚染除去容器(140)は、汚染除去流体が規定レベルより上昇するのを防止するようにオーバーフロー放出路(150) を有する請求項１に記載の空洞内ＲＦコイル組立体。
【請求項５】
再使用可能なプローブ(30)を備え、該プローブは、検査される対象物の空洞に適合するように形成された閉じた遠方端(62)と、開いた接近端(64)とを含む中空外部カバー(60)と；この外部カバー(60)の遠方端(62)内に配置された内部スリーブ(70)の周りに堅牢に形成された能動的なＲＦコイル素子(72)と；この能動的なＲＦコイル素子(72)の接近端側で上記外部カバー(60)内に配置された同調及び整合回路であって、プリント回路板(74)上に配置されて能動的なＲＦコイル素子(72)に取り付けられる同調及び整合回路と；上記外部カバー(60)の接近端(64)に接続された蓋(90)であって、上記外部カバー(60)の接近端(64)を閉じた状態にシールするように構成された蓋(90)とを備え、
検査される対象物の空洞内で上記プローブ(30)が一定関係に保持されるように上記蓋(90)に選択的に係合されるジョー(162)を有する調整可能なクランプ(160) を更に備え、
上記蓋(90)は、上記同調及び整合回路に接続された少なくとも１つの電気部品(170) を備え、上記蓋(90)が調整可能なクランプ(160)に係合するときに、上記蓋(90)の電気部品(170) は、ＭＲＩ装置の前置増幅器に接続された調整可能なクランプ(160)のジョー(162)における少なくとも１つの電気部品(172)に電子的に接続される空洞内ＲＦコイル組立体。
【請求項６】
上記プローブ(30)は、制限された磁気共鳴信号を放出する材料を含み、上記信号は、検査される対象物に対するプローブ(30)の位置を追跡するのに使用される請求項１ないし５のいずれかに記載の空洞内ＲＦコイル組立体。
【請求項７】
発生する像の異常を排除するように上記プリント回路板(74)が配置されそしてそこに電子部品が位置される請求項１ないし６のいずれかに記載の空洞内ＲＦコイル組立体。
【請求項８】
上記蓋(90)は、外部カバー(60)の端部の上に延びる請求項１ないし７のいずれかに記載の空洞内ＲＦコイル組立体。
【請求項９】
上記蓋は、モールドされた枠である請求項８に記載の空洞内ＲＦコイル組立体。
【請求項１０】
上記蓋は、球根状である請求項８又は９に記載の空洞内ＲＦコイル組立体。
【発明の詳細な説明】
【０００１】
【発明の属する技術分野】
本発明は、磁気共鳴像形成に係る。本発明は、医療用磁気共鳴像形成システムに関連して特に適用でき、これについて特に説明する。しかしながら、本発明は、他の形式の磁気共鳴像形成システム、磁気共鳴分光システム等にも適用できることが明らかである。
【０００２】
【従来の技術】
磁気共鳴像形成においては、実質的に均一な主磁界が検査領域内に発生される。この主磁界は、検査領域内の像形成される対象物の核スピン系統を分極する。高周波励起信号を検査領域へ送信することにより主磁界に整列するダイポールにおいて磁気共鳴が励起される。より詳細には、高周波コイル組立体を経て送信される高周波パルスは、主磁界と整列ずれするようにダイポールを傾斜させ、そして主磁界に平行な軸の周りで巨視的な磁気モーメントベクトルを歳差運動させる。この歳差磁気モーメントは、次いで、それが弛緩するときにそれに対応する高周波磁気信号を発生し、そして主磁界との前の整列状態に復帰する。高周波磁気応答信号が高周波コイル組立体により受信され、そしてその受信信号から、人間に見えるディスプレイに表示するために像表示が再構成される。
【０００３】
ある医療用ＭＲＩの用途においては、検査される患者の特定領域の限定された視野及び貫通深さにわたって像形成走査を実行するのが効果的である。このような領域は、肛門、前立腺、子宮頚、及び患者の内部空洞に関連した他の領域を含む。これらの領域を像形成するために、腔内又は空洞内形式のＲＦ受信コイルが一般に使用される。というのは、このような用途では、これらコイルの近傍が、限定された視野及び貫通深さに対して改良された信号対雑音比を与えるからである。
【０００４】
【発明が解決しようとする課題】
従来、腔内又は空洞内ＲＦ受信コイルは、膨張可能な非浸透性の風船内に収容された能動的なＲＦコイル素子を使用している。電気ケーブルが能動的なＲＦコイルを外部の電気回路にインターフェイスし、この回路は、コイルを磁気共鳴像形成システムにインターフェイスするのに使用される。この装置が、当該領域に関連した空洞、例えば、患者の直腸に挿入され、そして風船が膨らまされる。最終的に、外部の電気的インターフェイスを使用して、コイルをＭＲＩシステムに同調及び整合させる。通常、このような空洞内コイルは、使い捨てであり、多数の走査に再使用されない。更に、能動的なＲＦコイル素子は、堅牢に形成されず、従って、各個々のプローブを同調及び整合しなければならない。空洞内プローブの別の従来の形式は、廃棄までに限定された回数だけ使用できる。この形式は、患者に使用するたびに廃棄できる付加的なラテックスシースを使用している。しかしながら、装置は、限定された回数だけ再使用される。
【０００５】
従来の空洞内ＲＦコイルプローブは、ＭＲＩシステムとのインターフェイスの一部分として外部の同調及び整合回路を使用している。コイルが使用された各個々の患者に対して電子的な同調手順が実行される。能動的なＲＦコイル素子は、プローブ内の位置に固定されず、そして像形成される解剖学的部位に対する位置に繰り返し固定できないので、像性能は再現性がない。
【０００６】
【課題を解決するための手段】
本発明は、上記欠点を克服するＭＲＩ装置のための空洞内ＲＦコイル組立体に関する。
本発明の１つの特徴によれば、ＭＲＩ装置のための空洞内ＲＦコイル組立体が提供される。空洞内ＲＦコイル組立体は、再使用可能なプローブを備えている。この再使用可能なプローブは、閉じた遠方端と、開いた接近端とを有する中空の外部カバーを備えている。遠方端は、検査される対象物の空洞に適合するように形成される。外部カバーの遠方端内に配置された内部スリーブの周りに能動的なＲＦコイル素子が堅牢に形成される。この能動的なＲＦコイル素子の接近端側で外部カバー内に配置された同調及び整合回路は、プリント回路板上に配置されて能動的なＲＦコイル素子に取り付けられる。外部カバーの接近端にはオーバーモールドされた枠が接続される。このオーバーモールドされた枠は、外部カバーの接近端を閉じた状態にシールするように構成される。
【０００７】
【発明の実施の形態】
以下、添付図面を参照して、本発明を一例として説明する。
図１を参照すれば、主磁界制御器１０は、検査領域１４を通るｚ軸に沿って実質的に均一の時間的に一定の主磁界が形成されるように超伝導又は抵抗性磁石１２を制御する。磁気共鳴エコー手段は、一連の高周波（ＲＦ）及び磁界勾配パルスを付与して、磁気スピンを反転又は励起し、磁気共鳴を誘起し、磁気共鳴を再収束し、磁気共鳴を操作し、磁気共鳴を空間的及び他のやり方でエンコードし、スピンを飽和し、等々を行って、磁気共鳴像形成及び分光シーケンスを発生する。より詳細には、勾配パルス増幅器２０は、全身勾配コイル２２の選択されたコイル又はコイル対に電流パルスを付与して、検査領域１４のｘ、ｙ及びｚ軸に沿って磁界勾配を形成する。デジタル高周波送信器２４は、高周波パルス又はパルスパケットを全身ＲＦコイルに２６に送信して、ＲＦパルスを検査領域へ送りこむ。典型的な高周波パルスは、短い時間巾の直接的に隣接するパルスセグメントのパケットより成り、これらを互いに且つ勾配を付与して取り出すと、磁気共鳴操作が達成される。ＲＦパルスは、検査領域の選択された部分において、飽和、共鳴の励起、磁化の反転、共鳴の収束又は共鳴の操作を行うのに使用される。全身の用途の場合には、共鳴信号が全身ＲＦコイル２６により共通にピックアップされる。
【０００８】
対象物の限定された領域の像を発生するために、局部的なコイルがその選択された領域に隣接して共通に配置される。例えば、空洞内ＲＦコイル組立体プローブ３０のような受信専用の局部的高周波コイルを使用して、身体―コイルのＲＦ送信により導入される共鳴信号を受信することができる。それにより得られる高周波信号は、全身ＲＦコイル２６又は他の特殊なＲＦコイルによってピックアップされ、そして好ましくは前置増幅器（図示せず）を含む受信器３２により復調される。
シーケンス制御回路４０は、エコー平面像形成、エコー体積像形成、勾配及びスピンエコー像形成、高速スピンエコー像形成、等の複数のマルチエコーシーケンスのいずれかを発生するように勾配パルス増幅器２０及び送信器２４を制御する。選択されたシーケンスに対して、受信器３２は、各ＲＦ励起パルスに続いて素早く次々に複数のデータ線を受信する。アナログ―デジタルコンバータ４２は、各データ線をデジタルフォーマットに変換する。アナログ―デジタルコンバータは、高周波受信コイルとデジタル受信用の受信器との間に配置されると共に、アナログ受信用の受信器から下流に配置される。最終的に、高周波信号は、再構成プロセッサ５０により像表示へと復調及び再構成され、該プロセッサは、二次元フーリエ変換又は他の適当な再構成アルゴリズムを適用する。像は、患者の平面切片、平行な平面切片の配列、三次元体積、等を表わす。次いで、像は、像メモリ５２に記憶され、そこで、ビデオモにタ５４のようなディスプレイによりアクセスされ、該ディスプレイは、得られた像の人間に分かる表示を形成する。
【０００９】
図２ａないし２ｃを参照すれば、空洞内ＲＦコイル組立体は、弛緩する磁気ダイポールにより発生された高周波信号をピックアップするのに使用される。空洞内ＲＦコイル組立体は、当該領域に隣接するように検査される対象物の空洞、例えば、肛門、前立腺、子宮頚等に挿入される再使用可能なプローブ３０を備えている。当該領域に対するコイルの接近性が比較的高い信号対雑音比を与える。１つの好ましい実施形態では、再使用可能なプローブ３０は、閉じた遠方端６２及び開いた接近端６４を有する中空の外部カバー６０から形成され、閉じた遠方端６２は、検査される対象物の空洞に適合するように形成される。外部カバー６０の接近端６４においては、その外面に多数のグルーブ６６が切られている。グルーブ６６は、外部カバー６０の外面の周りに完全に延びている。更に、外部カバー６０の外面には、平らなグルーブ付きの象限６８が接近端６４から切られている。好ましくは、外部カバー６０は、医療グレードのＡＢＳプラスチックで形成される。ＡＢＳ材料は、適切な防火性のもので、粘膜又は血液バリア接触部への限定された露出に特に意図されている。これも好ましくは医療グレードのＡＢＳ材料で作られた内部スリーブ７０は、中空の外部カバー６０内に安住するように形成される。能動的なＲＦコイル素子７２は、外部カバー６０の遠方端６２内に位置する端において内部スリーブ７０に沿った加工グルーブ内に配置される。外部カバー６０の接近端６４内に位置する内部スリーブの端は、プリント回路板７４に配置される同調及び整合回路を保持する。プリント回路板７４は、能動的なＲＦコイル素子７２に取り付けられる。プリント回路板７４に取り付けられる電子部品であって、同調及び整合回路を形成する部品は、非磁気又は最小限の磁気部品であるのが好ましい。電子部品配置のためのプリント回路板レイアウト及び能動的なコイル素子７２からプリント回路板７４までの距離は、使用電子部品の磁気含有物により生じる像の異常を減少又は排除するように特に設計される。
【００１０】
特殊構造のＲＦケーブル８０は、同調及び整合回路の出力をＭＲＩシステムの前置増幅器に接続する。ケーブル８０は、標準的なＲＧ１７４ケーブルの非磁性形態で構成されるのが好ましい。外部ケーブル絶縁材の上には、非毒性ＰＶＣの外部ジャケットがモールドされる。このＰＶＣジャケットは、患者との適切な非毒性接触を与えると共に、患者とケーブルの外部電気シールドとの間に電界絶縁距離を与え、ＲＦ火傷の危険性を防止する。
オーバーモールドされた枠（蓋状の枠）９０は、中空外部カバーの開いた接近端をシールする。好ましくは、オーバーモールドされた枠９０は、ＰＶＣプラスチックで形成され、そして適当な技術によりモールド又は成形することができる。オーバーモールドされた枠９０は、接近端６４の外面上に形成され、そしてグルーブ６６及び平らなグルーブ付き象限６８をカバーする。ＲＦケーブル８０は、同調及び整合回路から延びるもので、開いた接近端６４から、それとの流体密シールを形成するオーバーモールドされた枠９０を通して延びる。オーバーモールドされた枠９０の一部分は、中空外部カバー６０の外面に形成された周囲グルーブ６６に埋められるので、それらの間には流体の侵入を適切に防ぐ密接な機械的シールが形成される。オーバーモールドされた枠９０とＲＦケーブル８０との間の界面は、それらの間に形成される化学的なＰＶＣ―ＰＶＣシールにより流体の侵入を適切に防止する。更に、オーバーモールドされた枠９０が平らなグルーブ付き象限６８の回りに形成されるので、オーバーモールドされた枠９０が外部カバー６０に対して回転することはない。
【００１１】
図３を参照すれば、別の好ましい実施形態において、空洞内ＲＦコイル組立体は、前立腺を検査するためのプローブ３０を備えている。この前立腺プローブは、好ましくは医療グレードのＡＢＳプラスチックで形成された内部シェル１００を含み、これは、共鳴用キャパシタ１０２を取り付けるための小さなプリント回路板（図示せず）を配置しそして取り付けると共に、能動的なＲＦコイル素子７２を配置しそして取り付ける形態である。又、好ましくはこれも医療グレードのＡＢＳプラスチックで作られたカバー１０４は、内部シェル１００をシールし、内部シェル１００に形成された部品と外部との間にバリアを与える。シャフト組立体１０６は、内部シェル１００に対する接着ボンディング又は溶媒ボンディングのような方法でねじ込まれて接合される。シャフト組立体１０６は、中空であって、内部シェル１００をプリント回路板の外部カバー１０８に接続する。半堅牢の同軸ケーブル１１０は、中空シャフト組立体１０６を経て延び、そして能動的なＲＦコイル組立体７２を、プリント回路板外部カバー１０８に存在するプリント回路板７４に接続する。プリント回路板７４は、同調及び整合回路を保持する。図示されていないが、プリント回路板外部カバー１０８は、前記の好ましい実施形態と同様に、グルーブ及びフラットなグルーブ付き象限、オーバーモールドされた枠、及び特別に形成されたＲＦケーブルを備えている。
【００１２】
図４を参照すれば、別の好ましい実施形態において、空洞内ＲＦコイル組立体は、子宮頚プローブ３０を含む。この子宮頚プローブ３０は、能動的なＲＦコイル素子７２がしっかり固定される中空環状部分１２０を備えている。この実施形態において、能動的なＲＦコイル素子７２は、柔軟なプリント回路板１２２に敷設される。この柔軟なプリント回路板１２２は、内部リングカバー１２４と外部のリング―シャフト組立体１２６との間にしっかりと固定される。内部リングカバー１２４及び外部のリング―シャフト組立体１２６は、医療グレードのＡＢＳプラスチックで構成されるのが好ましい。外部のリング―シャフト組立体１２６は、同調及び整合回路を含むプリント回路板７４を収容するシャフト組立体１２８に接続される。２本の１８ＡＷＧのワイヤ１３０がプリント回路板に取り付けられ、そこから外部のリング―シャフト組立体１２６を経て能動的なＲＦコイル素子へと延びる。好ましくは、絶縁スリーブが２本のワイヤの上に配置される。内部リングカバー１２４、外部のリング―シャフト組立体１２６、及びシャフト組立体１２８は、流体の侵入からプローブ３０を守るために全て適切にのり付けされる。又、図示されていないが、この実施形態も、上記実施形態の特別に構成されたＲＦケーブル、グルーブ及び平らなグルーブ付き象限を使用する。図５を参照すれば、子宮頚プローブ３０は、外部ラテックス１３２も備えている。この外部ラテックスカバー１３２は、選択的に伸ばしたり（１３４）又はつぶしたり（１３６）して、子宮頚解剖学的部位を選択的にそのポケットに入れ、その解剖学的部位をプローブの環状部分で形成されたリング内に配置することができる。ラテックスカバー１３２は、これを膨張したり収縮したりすることにより伸ばしたりつぶしたりすることができる。
【００１３】
図６を参照すれば、空洞内ＲＦコイル組立体は、プローブの外部カバーを殺菌するための汚染除去容器１４０を備えている。この汚染除去容器１４０は、種々のプローブの全ての実施形態に適合し得る。上部リップ１４２は、オーバーモールドされた枠９０をのせるように容器の上部に配置される。上部リップ１４２は、同じ形状をもつことによりオーバーモールドされた枠９０と協働するように構成することができる。上部リップ１４２は、プローブを規定の高さに保持し、汚染除去容器１４０の貯留部１４４に存在する汚染除去流体に外部カバーが完全に浸漬されるようにする。殺菌流体は、グルタルアルデヒド、アルコール、過酸化水素又は同様の殺菌剤である。長方形ののど１４６は、プローブ３０の外部カバーが殺菌流体へと延びることができるが、オーバーモールドされた枠９０はこれを通過できないようにする。汚染除去容器１４０を使用しないときにこれをシールするためのキャップ１４８も設けられる。又、汚染除去容器１４０は、オーバーフロー放出路１５０も有し、これは、汚染除去流体が規定レベルより上に上昇しないようにする。即ち、プローブ３０を挿入したときに、プローブ３０が流体を押しのけてそのレベルが上昇するために、汚染除去流体のレベルがあまりに高くなった場合に、所定レベルより上昇するのではなくオーバーフロー放出路を通してこぼれる。これは、汚染除去流体が、オーバーモールドされた枠９０又は特別に形成されたＲＦケーブル８０に接触するのを防止し、ＰＶＣプラスチック部分が汚染除去流体に露出されて該流体がダメージを及ぼすのを防止すると共に、更に、オーバーモールドされた枠９０と外部カバーとの間のシール、及びオーバーモールドされた枠９０と特別に構成されたＲＦケーブル８０との間のシールを流体の考えられる侵入から保護する。
【００１４】
図７を参照すれば、オーバーモールドされた枠９０に選択的に係合されるジョー１６２を有する調整可能なクランプ１６０は、検査される対象物の空洞内に一定関係でプローブ３０を保持するのに使用される。調整可能なクランプのジョー１６２は、バックナット１６４を回転することにより選択的に係合される。ジョーは、プローブ３０の位置設定に最大の自由度を許すために、オーバーモールドされた枠９０の形状に作られる。図８を参照すれば、１つの好ましい実施形態において、プローブは、特殊構造のＲＦケーブルを含まない。むしろ、オーバーモールドされた枠９０が、中空外部カバーの開いた端を完全にシールする。オーバーモールドされた枠９０内の誘導性コイルのような電気部品１７０は、同調及び整合回路に接続され、この回路は、次いで、プローブ３０の能動的なＲＦコイル素子７２に接続される。オーバーモールドされた枠９０の電気部品１７０は、調整可能なクランプ１６０のジョー１６２内に収容された誘導性コイルのような電気部品１７２に電子的に接続される。調整可能なクランプ１６０のジョー１６２内の電気部品１７２は、次いで、ケーブル１７４を経てＭＲＩ装置の前置増幅器に接続される。このように、プローブは、余計なＲＦケーブルを使用せずにＭＲＩ装置の前置増幅器に接続される。
【００１５】
ここに示すオーバーモールドされた枠９０は、球状として説明したが、他の適当な形状をとることもできる。例えば、１つの好ましい実施形態では、オーバーモールドされた枠９０は多面体の形状をとる。多面体の各面は、適当な指示でマークされる。このように、オーバーモールドされた枠９０は、プローブ３０及びそこにしっかり固定された能動的なＲＦコイル素子７２の相対的な向きを患者に対して指示するのに使用できる。別の実施形態では、プローブ３０は、限定された核磁気共鳴信号を放射する材料をその構造体に含む。この場合も、これは、対象物内におけるプローブ３０の相対的な位置及び方向を、像形成される解剖学的部位に対して決定できるようにする。
本発明の１つの効果的な特徴は、流体の侵入を防ぐようにプローブ３０がシールされることである。オーバーモールドされた枠９０が機械的なシールを形成するように埋められるグルーブ６６を参照して説明したが、超音波溶接のような他の手段や、又は構造体内に医療グレードの接着剤を使用しても、適当なシールが形成されることが明らかである。又、プローブの他の２つの界面間のシールも、超音波溶接、溶媒ボンディング又は医療グレード接着剤での接着剤ボンディングされて、流体の侵入を防止するバリアを形成することができる。
【００１６】
プローブ３０の同調及び整合回路を磁気共鳴像形成システムの前置増幅器に接続するものとして特別な構造のＲＦケーブル８０を説明したが、１つの好ましい実施形態では、前置増幅器がプローブ３０に一体化され、そして同調及び整合回路と同じプリント回路板７４に取り付けられる。
【００１７】
【発明の効果】
上記空洞内コイルの１つの効果は、プローブが再使用可能なことである。別の効果は、それらがＵＬ５４４及びＩＥＣ６０１のような必要な電気的及び機械的な適用規格に合致するように製造できることである。更に別の効果は、能動的なＲＦコイル素子の位置が、像形成される解剖学的部位に対して固定されることである。更に別の効果は、患者ごとに同調及び整合調整を実行するための外部回路が排除されることである。更に別の効果は、走査を実行する間にプローブを固定位置にクランプすることにより動きの影響が減少されることである。更に別の特徴は、再使用可能なプローブの内部への流体の侵入が防止されることである。別の効果は、対象物がＲＦ火傷から保護されることである。
【図面の簡単な説明】
【図１  】本発明によるＭＲＩ装置の概略図である。
【図２ａ】本発明の空洞内ＲＦコイル組立体による肛門プローブを示す図である。
【図２ｂ】本発明による肛門プローブの外部カバーを示す図である。
【図２ｃ】本発明による肛門プローブの内部スリーブを示す図である。
【図３】本発明の空洞内ＲＦコイル組立体による前立腺プローブを示す分解図である。
【図４】本発明の空洞内ＲＦコイル組立体による子宮頚プローブを示す分解図である。
【図５】本発明による子宮頚プローブに使用するためのラテックスカバーを示す図である。
【図６】本発明の空洞内ＲＦコイル組立体による汚染除去容器を示す図である。
【図７】本発明の空洞内ＲＦコイル組立体による調整可能なクランプを示す図である。
【図８】本発明によるプローブとクランプとの間の電子的カプリングを示す図である。
【符号の説明】
１０  主磁界制御器
１２  磁石
１４  検査領域
２０  勾配パルス増幅器
２２  全身勾配コイル
２４  デジタル高周波送信器
２６  全身ＲＦコイル
３０  再使用可能なプローブ
３２  受信器
４０  シーケンス制御回路
４２  アナログ―デジタルコンバータ
５０  再構成プロセッサ
５２  像メモリ
５４  ビデオモニタ
６０  中空の外部カバー
６２  閉じた遠方端
６４  開いた接近端
６６  グルーブ
７０  内部スリーブ
７２  能動的なＲＦコイル素子
７４  プリント回路板
８０  特殊構造のＲＦケーブル
９０  オーバーモールドされた枠（蓋状の枠）
１００  内部シェル
１０２  キャパシタ
１０４  カバー
【図１】
0004307603.tif 000002
【図２Ａ】
0004307603.tif 000003
【図２Ｂ】
0004307603.tif 000004
【図２Ｃ】
0004307603.tif 000005
【図３】
0004307603.tif 000006
【図４】
0004307603.tif 000007
【図５】
0004307603.tif 000008
【図６】
0004307603.tif 000009
【図７】
0004307603.tif 000010
【図８】
0004307603.tif 000011